(57)【要約】【課題】第１には、定形紙および封筒を印刷する場合における給紙設定を行う際のユーザの手間を削減でき、第２には、給紙設定を自動で前の初期設置または初期状態に戻す。【解決手段】用紙Ｐの幅毎に定形紙または封筒のいずれか一方に特定できる場合はその給紙設定を対応させ、定形紙または封筒のいずれか一方に特定できない場合はユーザが設定した給紙設定を対応させた用紙幅給紙設定対応情報を記憶したメモリ１７ｂと、サイド給紙台１１に用紙Ｐが置かれたことが検出され、用紙Ｐの幅が検出された場合、用紙幅給紙設定対応情報を参照して、検出された用紙の幅が定形紙または封筒のいずれか一方に特定できる場合はその給紙設定に決定し、検出された用紙の幅が定形紙または封筒のいずれか一方に特定できない場合は、ユーザの設定に基づき給紙設定を決定するＣＰＵ１７ａとを備える【選択図】図１
2017039557.tif 000002
【特許請求の範囲】
【請求項１】
印刷装置の上流側に接続され、給紙台に置かれた定形紙または封筒の用紙をそれぞれの給紙設定に従って前記印刷装置へ供給する給紙装置であって、
前記給紙台における用紙の有無を検出する用紙有無検出手段と、
前記給紙台に置かれた用紙の幅を検出する用紙幅検出手段と、
用紙の幅毎に、用紙種類として定形紙または封筒のいずれか一方が設定されている場合は設定された用紙種類に応じた給紙設定を対応させ、用紙種類として定形紙および封筒の両方が設定されている場合はユーザが設定した給紙設定を対応させて、用紙幅給紙設定対応情報として記憶する記憶手段と、
前記用紙有無検出手段によって前記給紙台に用紙が置かれたことが検出され、前記用紙幅検出手段によって用紙の幅が検出された場合、前記用紙幅給紙設定対応情報に基づいて、検出された用紙の幅に対応する前記給紙設定に決定する制御手段と、
を備えることを特徴とする給紙装置。
【請求項２】
前記制御手段は、
前記用紙幅給紙設定対応情報に基づいて前記給紙設定を設定した後、前記用紙有無検出手段により前記給紙台から用紙が無くなったことが検出された場合、前記給紙設定をその前の設定または初期設定に戻す
ことを特徴とする請求項１に記載の給紙装置。
【請求項３】
前記制御手段は、
前記用紙有無検出手段によって前記給紙台に用紙が置かれたことが検出され、前記用紙幅検出手段によって用紙の幅が検出された場合、前記用紙幅給紙設定対応情報に基づいて用紙の幅がユーザ操作によって登録された封筒のサイズであると判定されたときには、前記給紙設定を封筒に設定する
ことを特徴とする請求項１または請求項２に記載の給紙装置。
【発明の詳細な説明】
【技術分野】
【０００１】
本発明は、定形紙および封筒を印刷する場合における給紙設定を行う際のユーザの手間を削減できる給紙装置に関する。
【背景技術】
【０００２】
印刷装置は、複数の用紙格納手段を有し、例えば、Ａ４，Ｂ４等の定型紙や、封筒の用紙を格納し、指定された用紙格納手段から該当の用紙を給紙して印刷を行う。
【０００３】
例えば、特許文献１には、封筒に正しく画像を印刷するため，封筒を格納する用紙格納手段で封筒をガイドするガイドの開き幅を検知し、その検知された開き幅と、用紙格納手段に格納された封筒に対して設定されたサイズとに基づいて、封筒のフラップサイズ等を特定し、その特定されたフラップサイズに基づいて画像データを移動して、封筒に画像を印刷するようにした印刷装置が提案されている。
【先行技術文献】
【特許文献】
【０００４】
【特許文献１】特開２０１３−１６９７６９号公報
【発明の概要】
【発明が解決しようとする課題】
【０００５】
ところで、給紙装置の給紙台から普通のＡ４やＡ３用紙等の定型紙または封筒の用紙を印刷装置へ供給する場合、それぞれの給紙設定に従って給紙を行う必要がある。これは、封筒は袋状であり、また定型紙と封筒では、用紙厚の大小や、フラップの有無等の点で大きく異なるからである。
【０００６】
そのため、封筒を給紙する際に給紙設定が定形紙、つまり普通の用紙のままであると、例えば、封筒が印字ヘッド下を通過する際にヘッドアタックが発生して、印字ヘッドが故障したり、用紙ジャム、画像がずれる印字乱れなどの悪影響が発生する。
【０００７】
しかしながら、上述の特許文献１に記載の給紙装置では、用紙の幅に基づいてフラップサイズを特定し、フラップサイズに基づいて画像データを移動して印刷しており、定形紙と封筒を給紙する際の給紙設定の切り替えについては記載されていない。そのため、封筒を給紙する際に給紙設定で用紙の厚さが普通（標準）のままであると、ヘッドアタックや用紙ジャム、印字乱れなどの問題が発生する。
【０００８】
特に、給紙設定は、通常、給紙装置や印刷装置のパネルにて設定する必要があるため、給紙設定を戻す作業が煩わしいと共に、封筒の印刷後、定形紙の印刷に設定を戻すことを忘れる場合が多いという問題もある。
【０００９】
本発明は、このような課題に鑑みてなされたものであり、定形紙および封筒を印刷する場合における給紙設定を行う際のユーザの手間を削減できる給紙装置を提供することを目的とする。
【課題を解決するための手段】
【００１０】
上記目的を達成するため、本発明に係る給紙装置の第１の特徴は、印刷装置の上流側に接続され、給紙台に置かれた定形紙または封筒の用紙をそれぞれの給紙設定に従って前記印刷装置へ供給する給紙装置であって、前記給紙台における用紙の有無を検出する用紙有無検出手段と、前記給紙台に置かれた用紙の幅を検出する用紙幅検出手段と、用紙の幅毎に、用紙種類として定形紙または封筒のいずれか一方が設定されている場合は設定された用紙種類に応じた給紙設定を対応させ、用紙種類として定形紙および封筒の両方が設定されている場合はユーザが設定した給紙設定を対応させて、用紙幅給紙設定対応情報として記憶する記憶手段と、前記用紙有無検出手段によって前記給紙台に用紙が置かれたことが検出され、前記用紙幅検出手段によって用紙の幅が検出された場合、前記用紙幅給紙設定対応情報に基づいて、検出された用紙の幅に対応する前記給紙設定に決定する制御手段と、を備えることにある。
【００１１】
また、本発明に係る給紙装置の第２の特徴は、前記制御手段が、前記用紙幅給紙設定対応情報に基づいて前記給紙設定を設定した後、前記用紙有無検出手段により前記給紙台から用紙が無くなったことが検出された場合、前記給紙設定をその前の設定または初期設定に戻すことにある。
【００１２】
また、本発明に係る給紙装置の第３の特徴は、前記制御手段が、前記用紙有無検出手段によって前記給紙台に用紙が置かれたことが検出され、前記用紙幅検出手段によって用紙の幅が検出された場合、前記用紙幅給紙設定対応情報に基づいて用紙の幅がユーザ操作によって登録された封筒のサイズであると判定されたときには、前記給紙設定を封筒に設定することにある。
【発明の効果】
【００１３】
本発明に係る給紙装置の第１の特徴によれば、用紙有無検出手段によって給紙台に用紙が置かれたことが検出され、用紙幅検出手段によって用紙の幅が検出された場合、用紙幅給紙設定対応情報に基づいて、検出された用紙の幅が定形紙または封筒のいずれか一方が設定されている用紙種類に対応する場合は用紙種類に応じた給紙設定に決定し、検出された用紙の幅が定形紙および封筒の両方の用紙種類に対応する場合は、ユーザの設定に基づき給紙設定を決定する。
【００１４】
そのため、給紙台に置かれた用紙がその幅から定形紙または封筒のいずれか一方に特定できない場合、用紙幅給紙設定対応情報に予め設定されたユーザの設定に基づいて給紙設定が決定されるので、給紙設定を行う際のユーザの手間を削減できる。
【００１５】
また、本発明に係る給紙装置の第２の特徴によれば、用紙幅給紙設定対応情報を参照して給紙設定を行った後、給紙台から用紙が無くなった場合、給紙設定をその前の設定または初期設定に自動的に戻す。
【００１６】
そのため、給紙設定の戻し忘れがなくなり、例えば、定形紙から封筒に給紙設定を変えて給紙を行って、封筒の給紙が完了した場合でも、給紙設定を確実にその前の設定や初期設定に戻すことが可能となり、ヘッドアタックや、ジャム、印字乱れなどのトラブルを確実に防止できる。
【００１７】
また、本発明に係る給紙装置の第３の特徴によれば、用紙幅給紙設定対応情報を参照して用紙の幅がユーザによって登録された封筒の幅である場合は、給紙設定を封筒に設定する。
【００１８】
そのため、ユーザが用紙幅給紙設定対応情報に封筒の幅等の封筒の幅を登録しておき、その幅が検出された場合には、給紙設定が優先して自動で封筒に設定されるため、ユーザが登録した封筒の給紙設定を行う際のユーザの手間を削減できる。
【図面の簡単な説明】
【００１９】
【図１】本発明に係る実施の形態の給紙装置と印刷装置の概略構成を示す図である。
【図２】（ａ），（ｂ）は、図１に示す給紙装置のサイド給紙台を拡大して示す上面図（平面図）、側面図である。
【図３】本発明に係る実施の形態の給紙装置における制御部のメモリに格納された用紙幅給紙設定対応情報の一例を示す図である。
【図４】本発明に係る実施の形態の給紙装置の動作を示すフローチャートである。
【発明を実施するための形態】
【００２０】
以下、本発明の実施形態に係る給紙装置を、図面を参照しながら詳細に説明する。また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２１】
＜給紙装置の構成＞
図１は、本発明に係る実施の形態の給紙装置１と、印刷装置２の概略構成を示す図である。
【００２２】
図１に示すように、給紙装置１は、印刷装置２に対しＡ４サイズやＢ５サイズ等の普通の用紙である定形紙または封筒の用紙を供給するもので、印刷装置２内に給紙部として組み込まれていても良い。
【００２３】
給紙装置１は、定形紙または封筒の用紙を供給するサイド給紙台１１と、給紙ローラ１２と、給紙モータ１３と、レジストローラ１４と、レジストモータ１５と、上下動モータ１６と、制御部１７等を備える。
【００２４】
サイド給紙台１１は、定形紙または封筒の用紙Ｐが積載されるもので、詳細な構成は図２で詳述する。
【００２５】
給紙ローラ１２は、サイド給紙台１１に積載された定形紙または封筒の用紙Ｐを１枚ずつピックアップしてレジストローラ１４に向けて搬送する。給紙ローラ１２は、サイド給紙台１１の上側に配置されている。
【００２６】
給紙モータ１３は、エンコード付きモータで、制御部１７からの指令に基づいて給紙ローラ１２を回転駆動させる。
【００２７】
レジストローラ１４は、給紙ローラ１２の下流側に配置されており、給紙ローラ１２により搬送されてきた用紙Ｐを一旦止め、印刷装置２に向けて搬送する。
【００２８】
レジストモータ１５も、エンコード付きモータで、制御部１７からの指令に基づいてレジストローラ１４を回転駆動させる。
【００２９】
上下動モータ１６は、エンコード付きモータで、制御部１７からの指令に基づいてサイド給紙台１１を上下動させる。
【００３０】
制御部１７は、ＣＰＵ１７ａとメモリ１７ｂとを備えている。
【００３１】
ＣＰＵ１７ａは、メモリ１７ｂに格納されたプログラムによって給紙装置１全体の各部の構成の動作を制御する。また、ＣＰＵ１７ａは、後述する図４に示すように動作してサイド給紙台１１に置かれた用紙Ｐである定形紙または封筒の給紙設定に応じて各部、特に給紙モータ１３やレジストモータ１５、上下動モータ１６等に指令を送って、サイド給紙台１１に置かれた用紙がヘッドアタックや用紙ジャム等のトラブルが発生しないように印刷装置２へ給紙を行う。
【００３２】
メモリ１７ｂは、ＣＰＵ１７ａの動作プログラムを記憶すると共に、後述する図３に示す用紙幅給紙設定対応情報を記憶する。
【００３３】
印刷装置２は、給紙装置１の下流側に配置されており、主にベルト搬送部２１とインクジェット印刷部２２とを備え、給紙装置１から給紙された用紙Ｐである定形紙または封筒を搬送しつつ、給紙された用紙に対し印刷を行う。
【００３４】
ベルト搬送部２１は、レジストローラ１４により搬送されてきた用紙をベルト上に吸保持して搬送する。ベルト搬送部２１のベルトが掛け渡されたローラが図示しないモータにより駆動されることにより、ベルトが回転し、ベルト上の用紙が搬送される。
【００３５】
インクジェット印刷部２２は、用紙Ｐの搬送方向と略直交する方向（前後方向）に複数のノズルが配列されたラインタイプの複数のインクジェットヘッドを有する。インクジェット印刷部２２は、ベルト搬送部２１の上方に配置され、ベルト搬送部２１により搬送される用紙に対しインクジェットヘッドからインクを吐出して画像を印刷する。
【００３６】
図２（ａ），（ｂ）は、図１に示す給紙装置１のサイド給紙台１１を拡大して示す上面図（平面図）、側面図である。
【００３７】
図２（ａ），（ｂ）に示すように、給紙装置１のサイド給紙台１１は、給紙装置筐体１０のサイド給紙台ガイド側板１０ａの外側に沿ってサイド給紙台１１の前面１１ａが当接しながら上下動モータ１６（図１参照。）によって上下動可能に構成されており、サイド給紙台１１の上面１１ｂ上に置かれた複数枚の用紙Ｐの各先端部Ｐａが給紙装置筐体１０のサイド給紙台ガイド側板１０ａにより位置規制される。
【００３８】
この際、サイド給紙台１１の上面１１ｂ上に積層可能な複数の定形サイズの用紙、すなわち定形紙としては、例えば、最大サイズがＡ３サイズ（４２０ｍｍ×２９７ｍｍ）であり、かつ、このＡ３サイズの長辺を用紙Ｐの搬送方向に沿わせて縦置き搭載が可能になっており、Ａ３サイズより小さいＡ４サイズ（２９７ｍｍ×２１０ｍｍ）は縦置き搭載及び横置き搭載が可能となっている。
【００３９】
また、サイド給紙台１１の上面１１ｂ上に積層可能な不定形サイズの用紙としては、用紙Ｐの搬送方向と直交する幅がＡ３サイズの横幅２９７ｍｍ以下で、かつ、最大許容長さは５５０ｍｍとなっている。
【００４０】
また、サイド給紙台１１の上面１１ｂ上には、互いに対称にＬ字状に曲げ形成された左右一対のサイドフェンス１１ｃ，１１ｃの各側板部１１ｃ１，１１ｃ１が間隔を離して対向し、かつ、左右一対のサイドフェンス１１ｃ，１１ｃの各底板部１１ｃ２，１１ｃ２に形成した各ラック部１１ｃ３，１１ｃ３がサイド給紙台１１の上面１１ｂの幅方向中央部位に設けたピニオンギア１１ｄに噛合することで、左右一対のサイドフェンス１１ｃ，１１ｃが用紙Ｐの搬送方向とは直交する幅方向に両者同時に移動可能となっている。
【００４１】
これにより、ユーザは、サイド給紙台１１の上面１１ｂ上における左右一対のサイドフェンス１１ｃ，１１ｃの各側板部１１ｃ１，１１ｃ１間に、Ａ３やＡ４、Ｂ５等の定形サイズの定形紙だけでなく、規格サイズの封筒や、幅および長さをユーザが予め後述する用紙幅給紙設定対応情報Ｄに登録したユーザ登録の封筒を置くと共に、置いた定形紙または封筒である用紙Ｐの幅（横幅寸法）に応じて左右一対のサイドフェンス１１ｃ，１１ｃを手動により移動させることで、用紙Ｐの横幅方向の各側面を各側板部１１ｃ１，１１ｃ１の内側に当接させて用紙Ｐの両側面を規制している。
【００４２】
また、左右一対のサイドフェンス１１ｃ，１１ｃの移動位置をピニオンギア１１ｄの後端軸に連結させた用紙幅検出手段であるポテンションメータ１１ｅが検出する。
【００４３】
ポテンションメータ１１ｅの検出出力は制御部１７のＣＰＵ１７ａに出力され、ＣＰＵ１７ａは、ポテンションメータ１１ｅの検出出力に基づいてサイド給紙台１１の上面１１ｂに置かれた用紙Ｐの幅を求め、メモリ１７ｂに予め記憶した後述する用紙幅給紙設定対応情報Ｄを参照して用紙Ｐの幅（横幅寸法）と比較することで、サイド給紙台１１の上面１１ｂに置かれた用紙Ｐが定形紙であるか、封筒であるかを判定して、給紙設定を行う。
【００４４】
また、サイド給紙台１１の上面１１ｂの裏側には、給紙装置筐体１０のサイド給紙台ガイド側板１０ａの内側に、サイド給紙台１１に置かれた用紙Ｐの有無を検出する光反射型の用紙有無検出センサ１１ｆが取り付けられている。
【００４５】
更に、サイド給紙台１１の上面１１ｂの裏面には定形紙の定形サイズを検出する光反射型の複数の定形サイズ検出センサ１１ｇ〜１１ｉが取り付けられており、複数の定形サイズ検出センサ１１ｇ〜１１ｉは、用紙Ｐが定形サイズであるか否かを判定する際の検出手段として機能する。
【００４６】
つまり、定形サイズ検出センサ１１ｇは、例えばＡ４横置きの用紙Ｐの後端部Ｐｂを検出し、定形サイズ検出センサ１１ｈは、Ａ４縦置きの用紙Ｐの後端部Ｐｂを検出し、定形サイズ検出センサ１１ｉは、Ａ３縦置きの用紙Ｐの後端部Ｐｂを検出している。Ａ３，Ａ４などの定形サイズに対する定形紙の幅（横幅寸法）×長さ（縦幅寸法）は制御部１７（図１参照。）に設けたメモリ１７ｂ内に予め格納されているので、給紙時に定形サイズ検出センサ１１ｇ〜１１ｉのいずれかで検出した定形サイズの定形紙に対応してこの用紙Ｐの搬送方向の長さや給紙設定をメモリ１７ｂから取得できる。
【００４７】
図３は、本発明に係る実施の形態の給紙装置１における制御部１７のメモリ１７ｂに格納された用紙幅給紙設定対応情報Ｄの一例を示す図である。
【００４８】
図３に示すように、用紙幅給紙設定対応情報Ｄは、用紙幅検出手段であるポテンションメータ１１ｅが検出したサイド給紙台１１の上面１１ｂで左右一対のサイドフェンス１１ｃ，１１ｃの移動位置から求めた用紙幅［ｍｍ］と、用紙Ｐの種類と、給紙設定と、対象となる規格封筒（定形封筒）との関係を示す情報である。
【００４９】
図３に示す用紙幅給紙設定対応情報Ｄでは、ポテンションメータ１１ｅによる用紙幅の検出誤差は例えば５ｍｍであり、用紙幅は、ＮＯ．１〜ＮＯ．１４の１４段階に分けている。
【００５０】
例えば、ＮＯ．１の幅は、９０〜９９ｍｍであり、この場合、用紙Ｐの種類は一義的に封筒に特定されるので、給紙設定は封筒に変更される。変更としたのは、本実施形態の給紙装置１では、初期状態の給紙設定を定形紙としているからである。対象となる規格封筒としては、長形４号や、長形４０号、長形３０号、洋形７号、長形１４号等が対象となる。なお、ＮＯ．３やＮＯ．５、ＮＯ．７等も同様に用紙Ｐの種類が封筒に一義的に特定されるため、給紙設定はＮＯ．１と同様に封筒に変更される。
【００５１】
また、次のＮＯ．２の用紙幅は、１００〜１１０ｍｍであり、この場合、用紙Ｐの種類は一義的に特定されず、封筒または定形Ａ６号の定形紙が該当する。そのため、給紙設定は、ユーザ設定に従うことになる。この場合、対象となる規格封筒としては、長形１３号や、洋形４号、長形６号、洋形２号が対象となる。なお、ＮＯ．４も同様に用紙Ｐの種類が定形紙または封筒に一義的に特定されないため、給紙設定はＮＯ．２と同様にユーザ設定によることになる。
【００５２】
また、ＮＯ．６の用紙幅は、１４３〜１５２ｍｍであり、この場合、用紙Ｐの種類は一義的に定形Ａ５号の定形紙に特定されるので、給紙設定は定形紙、すなわち初期状態の定形紙のまま変更しない。対象となる規格封筒はない。なお、ＮＯ．８やＮＯ．１０、ＮＯ．１４も同様に用紙Ｐの種類が定形紙に一義的に特定されるため、給紙設定はＮＯ．６と同様に定形紙のまま変更されない。
【００５３】
さらに、次のＮＯ．１２の用紙幅は、２５２〜２６２ｍｍであり、この場合、用紙Ｐの種類は一義的に特定されず、ユーザが登録した封筒または定形Ｂ４号の定形紙が該当する。しかし、この場合、ユーザが登録した封筒であるため、これを優先し、給紙設定は、封筒に変更される。なお、ＮＯ．１２の場合とは異なり、ユーザが封筒の幅を登録した場合、同じ用紙幅の定形紙が無い場合もある。
【００５４】
＜実施の形態の給紙装置１の給紙動作＞
次に以上のように構成された本発明に係る実施の形態の給紙装置１の給紙動作を、フローチャートを参照して説明する。
【００５５】
図４は、本発明に係る実施の形態の給紙装置１の動作を示すフローチャートである。
【００５６】
図４に示すように、制御部１７のＣＰＵ１７ａは、用紙有無検出センサ１１ｆからのセンサ出力に基づいてサイド給紙台１１に定形紙または封筒の用紙Ｐが置かれたか否かを常に判定している（ステップＳ１０１）。
【００５７】
サイド給紙台１１に用紙Ｐが置かれた場合（ステップＳ１０１；ＹＥＳ）、用紙幅検出手段であるポテンションメータ１１ｅが左右一対のサイドフェンス１１ｃ，１１ｃの移動位置に基づいてサイド給紙台１１に置かれたその用紙Ｐの幅を検出し（ステップＳ１０３）、制御部１７のＣＰＵ１７ａへ出力する。
【００５８】
制御部１７のＣＰＵ１７ａは、ポテンションメータ１１ｅからの出力に基づいて、サイド給紙台１１に載せられた用紙Ｐの幅がメモリ１７ｂに記憶した用紙幅給紙設定対応情報Ｄ（図３参照。）を参照し、ユーザ登録の封筒の幅と一致するか否かを判定する（ステップＳ１０５）。
【００５９】
＜用紙Ｐの幅がユーザ登録の封筒の幅と一致する場合＞
ここで、例えば、検出した用紙Ｐの幅が２５２〜２６２ｍｍであり、紙幅給紙設定対応情報ＤのＮＯ．１２（図３参照。）の場合のように用紙Ｐの幅がユーザ登録した封筒の幅と一致する場合（ステップＳ１０５；ＹＥＳ）、ＣＰＵ１７ａは、給紙設定を封筒へ設定する（ステップＳ１０７）。
【００６０】
これにより、紙幅給紙設定対応情報Ｄへユーザ登録の封筒の幅と封筒の給紙設定を登録しておけば、検出された用紙Ｐの幅がユーザ登録の封筒の幅と一致した場合、定形紙や規格封筒（定形封筒）の幅と一致するか否かにかかわらず、用紙幅給紙設定対応情報Ｄにおけるユーザの設定に基づいて給紙設定が自動かつ優先的に封筒へ設定されるので、ユーザ登録の封筒を給紙する際のユーザの手間を削減できる。
【００６１】
＜用紙Ｐの幅がユーザ登録の封筒の幅と一致しない場合＞
一方、ステップＳ１０５において、用紙幅給紙設定対応情報Ｄを参照して用紙Ｐの幅がユーザ登録の封筒の幅と一致しなかったと判定された場合（ステップＳ１０５；ＮＯ）、制御部１７のＣＰＵ１７ａは、用紙幅給紙設定対応情報Ｄを参照してその用紙Ｐの幅がＡ４サイズやＡ３サイズ等の定形紙の幅と一致するか否かを判定する（ステップＳ１０９）。
【００６２】
用紙Ｐの幅が定形紙の幅と一致する場合（ステップＳ１０９；ＹＥＳ）、制御部１７のＣＰＵ１７ａは、用紙幅給紙設定対応情報Ｄを参照してさらにその用紙Ｐの幅がユーザ登録の封筒でない、すなわち規格（所定）の封筒の幅と一致するか否かを判定する（ステップＳ１１１）。
【００６３】
そして、その用紙Ｐの幅が規格封筒の幅と一致する場合（ステップＳ１１１；ＹＥＳ）、サイド給紙台１１に置かれた用紙Ｐの幅が定形紙の幅および規格封筒の幅の双方に一致することになる。そこで、制御部１７のＣＰＵ１７ａは、用紙幅給紙設定対応情報Ｄ（図３参照。）を参照してユーザによって給紙設定が設定されているか否かを判定する（ステップＳ１１３）。図３に示すように、用紙幅給紙設定対応情報Ｄにおける用紙幅１００〜１１０ｍｍのＮＯ．２および用紙幅１２３〜１３３ｍｍのＮＯ．４の場合が定形紙と規格封筒の双方に該当して一義的に特定されず、この場合に該当する。
【００６４】
つまり、ユーザによって用紙幅給紙設定対応情報Ｄに給紙設定が封筒に設定されていれば（ステップＳ１１３；ＹＥＳ）、ステップＳ１０５の判定処理でＹＥＳと判定された場合と同様に、ＣＰＵ１７ａは、給紙設定を封筒へ設定する（ステップＳ１０７）。
【００６５】
一方、ユーザによって給紙設定が封筒に設定されていない場合（ステップＳ１１１；ＮＯ）、ＣＰＵ１７ａは、給紙設定を定形紙に設定する（ステップＳ１１５）。
【００６６】
また、ステップＳ１０９の判定処理で用紙Ｐの幅が定形紙の幅と一致していると判定され（ＹＥＳ）、かつ、ステップＳ１１１の判定処理で用紙Ｐの幅が規格封筒の幅と一致しないと判定された場合（ＮＯ）、図３に示すように用紙幅給紙設定対応情報Ｄにおける用紙幅１４３〜１５２ｍｍのＮＯ．６や用紙幅１７７〜１８７ｍｍのＮＯ．８等の場合のようにサイド給紙台１１に置かれた用紙Ｐは定形紙であると一義的に特定される。そのため、制御部１７のＣＰＵ１７ａは、この場合も給紙設定を定形紙へ設定する（ステップＳ１１５）。
【００６７】
これにより、検出された用紙Ｐの幅がユーザ登録の封筒の幅とは一致せず、定形紙および規格封筒（定形封筒）の幅の双方と一致する場合は、用紙幅給紙設定対応情報Ｄにおけるユーザの給紙設定に基づいて自動的に給紙設定が決定されるので、定形紙や封筒を給紙する際のユーザの手間を削減できる。
【００６８】
＜用紙Ｐの幅がユーザ登録の封筒および定形紙の幅の双方と一致しない場合＞
一方、メモリ１７ｂに予め記憶した用紙幅給紙設定対応情報Ｄ（図３参照。）を参照して用紙Ｐの幅がユーザ登録の封筒の幅と一致せず（ステップＳ１０５；ＮＯ）、かつ、定形紙の幅とも一致しない場合（ステップＳ１０９；ＮＯ）、制御部１７のＣＰＵ１７ａは、さらに用紙幅給紙設定対応情報Ｄ（図３参照。）を参照して用紙Ｐの幅が規格封筒（定形封筒）の幅と一致するか否かを判定する（ステップＳ１１７）。
【００６９】
ここで、用紙Ｐの幅が規格封筒の幅と一致する場合（ステップＳ１１７；ＹＥＳ）、図３に示すように用紙幅給紙設定対応情報Ｄにおける用紙幅９０〜９９ｍｍのＮＯ．１や用紙幅１１１〜１２２ｍｍのＮＯ．３等の場合のようにサイド給紙台１１に置かれた用紙Ｐは規格封筒であると一義的に特定される。
【００７０】
そのため、制御部１７のＣＰＵ１７ａは、上述のステップＳ１０５やステップＳ１１３の判定処理でＹＥＳと判定した場合と同様に、給紙設定を封筒へ設定する（ステップＳ１０７）。
【００７１】
一方、用紙Ｐの幅が規格封筒（定形封筒）の幅と一致しない場合（ステップＳ１１７；ＮＯ）、用紙Ｐの幅がユーザ登録の幅とも一致せず（ステップＳ１０５；ＮＯ）、また、定形紙の幅とも一致しない（ステップＳ１０９；ＮＯ）ということになるので、用紙Ｐが不定形サイズの通常の用紙である可能性が高いので、制御部１７のＣＰＵ１７ａは、上述したステップＳ１１５の処理へ進み給紙設定を定形紙に設定する。
【００７２】
＜給紙設定の設定後の処理＞
以上のようにしてサイド給紙台１１に置かれた用紙Ｐの幅とメモリ１７ｂに予め記憶した用紙幅給紙設定対応情報Ｄ（図３参照。）に基づき自動的に封筒（ステップＳ１０７）または定形紙（ステップＳ１１５）へ給紙設定がされた後、給紙装置１では、印刷装置２からの給紙指令を待機する（ステップＳ１１９）。
【００７３】
そして、印刷装置２がＰＣ（図示せず。）から印刷ジョブ等を受信して、印刷装置２から給紙装置１に対し給紙指令が送信されてくると（ステップＳ１１９；ＹＥＳ）、給紙装置１の制御部１７のＣＰＵ１７ａは、まずその給紙指令がサイド給紙台１１からの給紙をしているのか否かを判定する（ステップＳ１２１）。
【００７４】
ここで、印刷ジョブ等でサイド給紙台１１からの給紙が指定されており、印刷装置２から給紙装置１に対しサイド給紙台１１からの給紙指令が送信されてくると（ステップＳ１２１；ＹＥＳ）、制御部１７のＣＰＵ１７ａは、ステップＳ１０７またはステップＳ１１５により設定した給紙設定に基づいてサイド給紙台１１に置かれた用紙Ｐを印刷装置２に対し給紙するよう制御する（ステップＳ１２３）。
【００７５】
例えば、サイド給紙台１１に封筒が置かれ、ステップＳ１０７で給紙設定が封筒に設定された場合、制御部１７のＣＰＵ１７ａは、その封筒の給紙設定に基づいて給紙モータ１３やレジストモータ１５、上下動モータ１６等に指令を送って、サイド給紙台１１に置かれた用紙がヘッドアタックや用紙ジャム等のトラブルが発生しないよう、ヘッドアタック防止のためヘッドギャップを調整したり、封筒のフラップ分を用紙サイズに追加したり、サイド給紙台１１から印刷装置へ封筒を供給する。
【００７６】
そのため、本発明に係る実施形態の給紙装置１では、サイド給紙台１１に置かれた用紙Ｐの幅と、メモリ１７ｂに登録した用紙幅給紙設定対応情報Ｄ（図３参照。）に基づいて給紙設定が自動的に決定されて印刷装置２へ給紙されるので、ユーザが操作パネル（図示せず。）等で給紙設定を行う必要がなくなり、ユーザの手間を削減できる。
【００７７】
そして、印刷装置２へ給紙後は、給紙装置１の制御部１７のＣＰＵ１７ａは用紙有無検出センサ１１ｆからのセンサ出力に基づいてサイド給紙台１１に置かれた用紙Ｐが無くなるか否かを判定しており（ステップＳ１２５）、サイド給紙台１１に用紙Ｐが無くなった場合（ステップＳ１２５；ＹＥＳ）、サイド給紙台１１に置かれた用紙Ｐの印刷が終了したことになるので、給紙設定をその前の設定または初期設定へ戻す（ステップＳ１２７）。なお、前の設定または初期設定は定形紙、すなわち普通の用紙の印刷設定とする。
【００７８】
これにより、サイド給紙台１１に封筒を置いて封筒の給紙および印刷を行い、封筒の印刷終了後、封筒から定形紙へ給紙設定を戻すことを忘れても、給紙設定が元の給紙設定または初期設定に自動で戻るので、給紙設定の戻し忘れによるヘッドアタックや、ジャム、印字乱れなどの悪影響を自動的に防止できる。
【００７９】
一方、印刷装置２がＰＣ（図示せず。）から印刷ジョブ等を受信して、サイド給紙台１１以外の内部給紙トレイ（図示せず。）からの給紙を指定した給紙指令が印刷装置２から送信されてきた場合（ステップＳ１２１；ＮＯ）、制御部１７のＣＰＵ１７ａは、内部給紙トレイ（図示せず。）からの給紙であるので、給紙設定を初期設定である定形紙や操作パネル（図示せず。）等で指定されている給紙設定に設定して（ステップＳ１２９）、その給紙設定で印刷装置２に対し給紙を行う（ステップＳ１３１）。
【００８０】
以上のように、本発明に係る実施形態の給紙装置１によれば、用紙有無検出センサ１１ｆによってサイド給紙台１１に用紙Ｐが置かれたことが検出され、ポテンションメータ１１ｅによって用紙Ｐの幅が検出された場合、制御部１７のＣＰＵ１７ａは、メモリ１７ｂに記憶された用紙Ｐの幅と給紙設定等との対応を示す用紙幅給紙設定対応情報に基づいて、検出された用紙Ｐの幅が定形紙または封筒のいずれか一方が設定されている用紙種類に対応する場合は用紙種類に応じた給紙設定に決定し、検出された用紙Ｐの幅が定形紙および封筒の両方の用紙種類に対応する場合は、ユーザの設定に基づき給紙設定を決定する。
【００８１】
そのため、サイド給紙台１１に置かれた用紙Ｐがその幅から定形紙または封筒のいずれか一方に特定できない場合、用紙幅給紙設定対応情報Ｄに予め設定されたユーザの設定に基づいて給紙設定が決定されるので、給紙設定を行う際のユーザの手間を削減できる。
【００８２】
また、本発明に係る実施形態の給紙装置１によれば、制御部１７のＣＰＵ１７ａは、メモリ１７ｂに予め記憶された用紙幅給紙設定対応情報Ｄを参照して給紙設定を行った後、サイド給紙台１１から用紙Ｐが無くなった場合、給紙設定をその前の設定または初期設定に自動的に戻すため、給紙設定の戻し忘れがなくなる。
【００８３】
そのため、例えば、定形紙から封筒に給紙設定を変えて給紙を行って、封筒の印刷が完了した場合でも、給紙設定を確実にその前の設定や初期設定に戻すことが可能となり、ヘッドアタックや、ジャム、印字乱れなどのトラブルを確実に防止できる。
【００８４】
さらに、本発明に係る実施形態の給紙装置１によれば、制御部１７のＣＰＵ１７ａは、メモリ１７ｂに予め記憶された用紙幅給紙設定対応情報Ｄを参照して用紙Ｐの幅がユーザ登録の封筒の幅と一致する場合は、給紙設定を封筒に設定する。
【００８５】
そのため、ユーザが用紙幅給紙設定対応情報Ｄに封筒の幅等のサイズを登録しておき、その幅が検出された場合には、定形紙や規格封筒（定形封筒）の幅と一致するか否かにかかわらず、用紙幅給紙設定対応情報Ｄにおけるユーザ登録に基づいて給紙設定が自動かつ優先的に封筒へ設定されるので、ユーザ登録の封筒を給紙する際のユーザの手間を削減できる。
【００８６】
なお、以上の説明では、サイド給紙台１１を一例に説明したが、給紙装置１内に内蔵されたいわゆる内蔵給紙カセット等の給紙台に用紙有無検出手段である用紙有無検出センサ１１ｆや、用紙幅検出手段であるポテンションメータ１１ｅ等が設けられている場合には、本発明は内蔵給紙カセットから封筒を給紙する場合にも適用可能である。
【符号の説明】
【００８７】
１…給紙装置
２…印刷装置
１０…給紙装置筐体
１１…サイド給紙台
１１ｃ…サイドフェンス
１１ｄ…ピニオンギア
１１ｅ…ポテンションメータ（用紙幅検出手段）
１１ｆ…用紙有無検出センサ（用紙有無検出手段）
１１ｇ〜１１ｉ…定形サイズ検出センサ
１２…給紙ローラ
１３…給紙モータ
１４…レジストローラ
１５…レジストモータ
１６…上下動モータ
１７…制御部
１７ａ…ＣＰＵ（制御手段）
１７ｂ…メモリ（記憶手段）
２１…ベルト搬送部
２２…インクジェット印刷部
【図１】
2017039557.tif 000003
【図２】
2017039557.tif 000004
【図３】
2017039557.tif 000005
【図４】
2017039557.tif 000006